(57)【要約】【課題】取付時の仮止め作業がスムーズに行えて施工性に優れる給湯器を提供する。【解決手段】給湯器１の取付金具１１には、壁面Ｗへ固定される後側の第１の取付部１２と、背板６へ固定される前側の第２の取付部１３と、第１の取付部１２と第２の取付部１３とを前後への段違いで平行に連結する連結部１４とが設けられ、第１の取付部１２には、壁面Ｗに設けた仮止めネジ３０に係止させるための仮止め孔１５と、壁面Ｗに固定するための本止め孔１９とがそれぞれ形成されて、仮止め孔１５は、第１の取付部１２から連結部１４まで跨がる長さで形成されて、連結部１４に、仮止めネジ３０が連結部１４の下方から仮止め孔１５へ相対移動可能な貫通空間１８が形成されている。【選択図】図５
2019124378.tif 000002
【特許請求の範囲】
【請求項１】
燃焼装置を収容する筐体の背面の上部に、鉛直面への取付用の取付金具を設けてなる給湯器であって、
前記取付金具には、前記鉛直面へ固定される後側の第１の取付部と、前記背面へ固定される前側の第２の取付部と、前記第１の取付部と前記第２の取付部とを前後への段違いで平行に連結する連結部とが設けられ、前記第１の取付部には、前記鉛直面に設けた係止部に係止させるための仮止め孔と、前記鉛直面に固定するための本止め孔とがそれぞれ形成されて、
前記仮止め孔は、前記第１の取付部から少なくとも前記連結部まで跨がる長さで形成されて、前記連結部に、前記係止部が前記連結部の下方から前記仮止め孔へ相対移動可能な貫通空間が形成されていることを特徴とする給湯器。
【請求項２】
前記仮止め孔の上端には、上方へ行くに従って先細りとなる絞り部が形成され、少なくとも前記絞り部の上端が、正面視で前記筐体の上方に露出していることを特徴とする請求項１に記載の給湯器。
【発明の詳細な説明】
【技術分野】
【０００１】
本発明は、燃焼装置等を収容して内部の通水を加熱して出湯する給湯器に関する。
【背景技術】
【０００２】
給湯器は、筐体内にバーナや熱交換器等を含む燃焼装置を収容してなり、例えば特許文献１に開示されるように、筐体の背面上下に設けた取付金具を介してネジやボルトによって建物の壁面等に取り付けられる。この取付金具は、壁面側へ取り付けられる上下方向の上取付部と、筐体側へ取り付けられる上下方向の下取付部とを、水平な連結部によって前後へ段違いで平行に連結した板状体で、上取付部には、壁面等に仮止めするための仮止め孔と、本止めするための本止め孔とが設けられている。すなわち、壁面等にねじ込んだ仮止めネジに仮止め孔を係止させて仮止め（吊り下げ）した状態で、本止め孔を介してネジ等を壁面等にねじ込むことで筐体が取り付けられる。
【先行技術文献】
【特許文献】
【０００３】
【特許文献１】特開２００５−９７４８号公報
【発明の概要】
【発明が解決しようとする課題】
【０００４】
しかし、仮止めは、筐体を持ち上げて上側の取付金具を仮止めネジに係止させる作業となるため、取付金具とその後側に隠れる仮止めネジとの目視確認がしにくく、仮止め孔に仮止めネジをスムーズに通して係止させるのに手間がかかる場合があった。仮止め孔の面積を大きくすることも考えられるが、位置を合わせる際に仮止め孔が仮止めネジより上方にずれると、取付金具の連結部に仮止めネジが引っ掛かり、結局何度もやり直す必要が生じてしまう。
【０００５】
そこで、本発明は、取付時の仮止め作業がスムーズに行えて施工性に優れる給湯器を提供することを目的としたものである。
【課題を解決するための手段】
【０００６】
上記目的を達成するために、請求項１に記載の発明は、燃焼装置を収容する筐体の背面の上部に、鉛直面への取付用の取付金具を設けてなる給湯器であって、
取付金具には、鉛直面へ固定される後側の第１の取付部と、背面へ固定される前側の第２の取付部と、第１の取付部と第２の取付部とを前後への段違いで平行に連結する連結部とが設けられ、第１の取付部には、鉛直面に設けた係止部に係止させるための仮止め孔と、鉛直面に固定するための本止め孔とがそれぞれ形成されて、仮止め孔は、第１の取付部から少なくとも連結部まで跨がる長さで形成されて、連結部に、係止部が連結部の下方から仮止め孔へ相対移動可能な貫通空間が形成されていることを特徴とする。
請求項２に記載の発明は、請求項１の構成において、仮止め孔の上端には、上方へ行くに従って先細りとなる絞り部が形成され、少なくとも絞り部の上端が、正面視で筐体の上方に露出していることを特徴とする。
【発明の効果】
【０００７】
請求項１に記載の発明によれば、取付金具の連結部に、係止部が連結部の下方から仮止め孔へ相対移動可能な貫通空間を形成したことで、取付金具の仮止め孔と係止部との目視確認がしにくくても、仮止め孔に係止部を簡単に通して係止させることができる。よって、取付時の仮止め作業がスムーズに行えて施工性に優れたものとなる。
請求項２に記載の発明によれば、請求項１の効果に加えて、仮止め孔の上端の絞り部を正面視で筐体の上方に露出させているので、仮止めする際の係止部に対する仮止め孔の位置を合わせやすくなる。
【図面の簡単な説明】
【０００８】
【図１】給湯器の斜視図である。
【図２】給湯器の正面図である。
【図３】取付金具の説明図で、（Ａ）が正面、（Ｂ）が平面、（Ｃ）が底面、（Ｄ）が側面をそれぞれ示す。
【図４】給湯器の背面図である。
【図５】（Ａ）（Ｂ）は給湯器を仮止めする手順を示す説明図（第１の取付部は縦断面で示す）である。
【図６】給湯器を壁面に取り付けた状態の説明図である。
【発明を実施するための形態】
【０００９】
以下、本発明の実施の形態を図面に基づいて説明する。
図１は、給湯器の一例を示す斜視図、図２は正面図である。
給湯器１は、前面に開口を形成して天板３及び底板４、左右の側板５，５、背板６とからなる縦長箱状の筐体２と、筐体２の前面を閉塞するフロントカバー７とを備えている。筐体２内には、バーナを有する燃焼部、熱交換器を有する熱交換部、排気部を含む燃焼装置等の構成部品が収容されて、フロントカバー７には、排気部の前面に設けた横長の排気口８が嵌合する長孔９が形成され、前面下側と側方とには、燃焼用空気の吸気孔１０，１０・・が形成されている。
【００１０】
筐体２の背面を形成する背板６の上下には、壁面等の鉛直面に取り付けるための取付金具１１，１１が設けられている。この取付金具１１は、図３に示すように、第１の取付部１２と、第２の取付部１３と、両取付部１２，１３の間で両取付部１２，１３を前後へ段違いで平行に連結する連結部１４とを備える金属板である。
【００１１】
まず、第１の取付部１２は、横長矩形状を有し、左右方向の中央には、筐体２が取り付けられる鉛直面に設けた仮止めネジ等に係止させるための仮止め孔１５が形成されている。この仮止め孔１５は、上下方向に等幅で延びる幅広部１６と、幅広部１６の上端に連設されて上方へ行くに従って先細りとなる三角形状の絞り部１７とを有する。但し、幅広部１６は、第１の取付部１２から連結部１４にまで跨がる長さで形成されている。これにより連結部１４には、上下に貫通する貫通空間１８が形成される。
また、仮止め孔１５を中心とした左右対称位置には、鉛直面にネジ止めするための本止め孔１９，１９が、左右に延びる長円状に形成され、本止め孔１９，１９の両外側には、左右一対の丸孔２０，２０が形成されている。
さらに、仮止め孔１５と本止め孔１９との間で第１の取付部１２の下側には、左右一対の補強リブ２１，２１が、連結部１４から上向きに形成されている。
【００１２】
次に、第２の取付部１３は、第１の取付部１２よりも左右に長く、上下に短い横長矩形状を有している。これにより、取付金具１１は上下非対称の形状となっている。
第２の取付部１３には、背板６にネジ止めするための、間隔が異なる二対の内側取付孔２２，２２及び外側取付孔２３，２３とがそれぞれ形成されて、内側取付孔２２，２２の間には、左右一対の補強リブ２４，２４が、連結部１４から下向きに形成されている。
【００１３】
以上の如く構成された給湯器１を取り付ける場合、まず、図４に示すように、２つの取付金具１１，１１を、背板６の上下に分けて、上側では、第２の取付部１３を背板６側に向け、第１の取付部１２を上向き且つ後側に向けた姿勢として、第２の取付部１３の外側取付孔２３，２３を介して左右一対のネジ２５，２５によって背板６へ固定する。この状態で第１の取付部１２は筐体２の上側へ突出し、仮止め孔１５の絞り部１７及び本止め孔１９，１９、丸孔２０，２０を正面視で筐体２の上方へ露出させている。
一方、背板６の下側では、第２の取付部１３を背板側に向け、第１の取付部１２を下向き且つ後側に向けた姿勢として、第２の取付部１３の内側取付孔２２，２２を介して左右一対のネジ２６，２６によって背板６へ固定する。但し、上下で同じ取付孔を用いて背板６へ固定してもよいし、取付金具１１において内側取付孔２２と外側取付孔２３との一方を省略してもよい。
【００１４】
そして、上側の取付金具１１の第１の取付部１２を用いて筐体２を壁面に仮止めする。すなわち、筐体２を持ち上げて仮止め孔１５に、壁面に設けた係止部としての仮止めネジを通して絞り部１７の上端に係止させて吊り下げる作業となる。
このとき、仮止め孔１５の絞り部１７と仮止めネジとが目視できれば、仮止めネジに合わせて直接係止させればよいが、絞り部１７と仮止めネジとが正確に目視できなくても、図５（Ａ）に示すように、第１の取付部１２を仮止めネジ３０の上側で壁面Ｗに当接させ、そのまま筐体２ごと取付金具１１を下方へスライドさせれば、同図（Ｂ）に示すように、仮止めネジ３０が連結部１４と干渉することなく貫通空間１８を通過して幅広部１６から絞り部１７へ相対的に移動し、絞り部１７の先端に係止する。よって、簡単に仮止めすることができる。
【００１５】
仮止め後、図６に示すように、本止め孔１９，１９を介して左右一対のネジ２７，２７を壁面Ｗにねじ込んで本止めする。また、下側の取付金具１１では、第１の取付部１２の本止め孔１９，１９を介して左右一対のネジ２８，２８を壁面Ｗにねじ込む。すると、給湯器１は、上下の取付金具１１，１１を介して壁面Ｗに取り付けられる。
なお、壁面Ｗに対して絶縁及び防振を図る場合は、ネジ２７，２８にスリーブ状のゴムを取り付けて、本止め孔１９，１９ではなく丸孔２０，２０を介してゴム付きのネジ２７，２８を壁面Ｗにねじ込むこともできる。
【００１６】
このように、上記形態の給湯器１によれば、取付金具１１には、壁面Ｗへ固定される後側の第１の取付部１２と、背板６へ固定される前側の第２の取付部１３と、第１の取付部１２と第２の取付部１３とを前後への段違いで平行に連結する連結部１４とが設けられ、第１の取付部１２には、壁面Ｗに設けた仮止めネジ３０に係止させるための仮止め孔１５と、壁面Ｗに固定するための本止め孔１９とがそれぞれ形成されて、仮止め孔１５は、第１の取付部１２から連結部１４まで跨がる長さで形成されて、連結部１４に、仮止めネジ３０が連結部１４の下方から仮止め孔１５へ相対移動可能な貫通空間１８が形成されていることで、取付金具１１の仮止め孔１５と仮止めネジ３０との目視確認がしにくくても、仮止め孔１５に仮止めネジ３０を簡単に通して係止させることができる。よって、取付時の仮止め作業がスムーズに行えて施工性に優れたものとなる。
【００１７】
特にここでは、仮止め孔１５の上端には、上方へ行くに従って先細りとなる絞り部１７が形成され、絞り部１７の上端が、正面視で筐体２の上方に露出しているので、仮止めする際の仮止めネジ３０に対する仮止め孔１５の位置を合わせやすくなる。
【００１８】
なお、上記形態では、仮止め孔を連結部に跨がる長さで形成しているが、連結部を越えて第２の取付部にまで跨がる長さで形成してもよい。仮止め孔の形状も上記形態に限らず、上端を三角形状でなく半円形状としたり、半円形状の中央に仮止めネジのネジ部が係止する長孔を上向きに連設したり等、適宜変更可能である。
取付金具自体の形態も、第１の取付部と第２の取付部とを上下対称に形成したり、補強リブの位置や形状を変えたり、補強リブを省略したりするのに加え、本止め孔の形状を変更したり、丸孔を省略したりすることもできる。連結部も、形状の変更が可能であるのは勿論、水平に設ける場合に限らず、前下がりや後下がりに傾斜している連結部であっても仮止め孔の跨がり形成は可能である。
【００１９】
また、上記形態では、筐体の上下で同じ取付金具を用いているが、上側でのみ仮止め孔付きの取付金具を用いて下側では仮止め孔のない取付金具を用いることは可能である。下側の取付金具を省略することもできる。
そして、上記形態では、本止め孔や取付孔を介した取付金具の固定をネジで行っているが、ボルト等の他の固定具であっても同様に固定できる。仮止め用の係止部も、ネジに限らずボルトやＬ字状の金具等であっても差し支えない。
勿論給湯器自体の構成も上記形態に限らないし、取り付ける鉛直面も、壁面でなく、壁面に取り付けた別体のプレートであっても差し支えない。
【符号の説明】
【００２０】
１・・給湯器、２・・筐体、６・・背板、７・・フロントカバー、１１・・取付金具、１２・・第１の取付部、１３・・第２の取付部、１４・・連結部、１５・・仮止め孔、１６・・幅広部、１７・・絞り部、１８・・貫通空間、１９・・本止め孔、２５〜２８・・ネジ、３０・・仮止めネジ、Ｗ・・壁面。
【図１】
2019124378.tif 000003
【図２】
2019124378.tif 000004
【図３】
2019124378.tif 000005
【図４】
2019124378.tif 000006
【図５】
2019124378.tif 000007
【図６】
2019124378.tif 000008